(57)【特許請求の範囲】
【請求項１】
隣接する建造物の床相互間の目地に差し渡されて該目地を覆うカバー体の一端が、一方の床の側縁に連結手段を介して揺動可能に連結されるとともに、該カバー体の他端を自由端とし、該自由端が他方の床の側縁に摺動可能に乗載されてなる床用目地カバー装置において、
前記カバー体が、目地を覆う矩形状の主板部と、該主板部の下面に配設された複数の突条からなる補強リブ部とを備え、かつ該主板部と補強リブ部とが鋳造により一体形成されてなり、主板部の前端縁の下面と、前記補強リブ部を構成する所定の突条の下端に、高さ調整用削り代部が連成されているものであって、
高さ調整用削り代部が連成された主板部の前端縁及び突条が、建造物の床の側縁に当接する位置で、目地に沿う方向に延在させて配設されるとともに、該主板部の前端縁及び突条の下部に複数の切り欠き溝が、該主板部の前端縁及び突条の長手方向に沿って形成されていることを特徴とする床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって既に提案されている（例えば、特許文献１参照）。
【０００３】
かかる床用目地カバー装置は、図１１（Ａ）に示すように、建物としての建造物Ａの床ｆと、該床ｆに目地ｓを介して隣接する人工地盤としての建造物Ｂとの間に差し渡されて前記目地ｓを覆うカバー体Ｃの一端を、前記床ｆの側縁に連結手段ａを介して揺動可能に連結し、該カバー体Ｃの他端を自由端として、該自由端にその下面から外端上面に向けて傾斜する傾斜端縁ｂを設けるとともに、該傾斜端縁ｂの上部からカバー体Ｃの上面ｄと略面一となるようにして端部カバー板ｃを建造物Ｂ側に向けて突設する一方、前記建造物Ｂの側縁に、水平受縁ｅと、該水平受縁ｅの外端に前記傾斜端縁ｂと同方向に傾斜する傾斜受縁ｇとを備えた摺動受枠ｈを配設し、該摺動受枠ｈの水平受縁ｅ上に、前記カバー体Ｃの自由端を乗載するとともに、前記端部カバー板ｃの外端を建造物Ｂの床面ｉ上に乗載し、該端部カバー板ｃによってカバー体Ｃの傾斜端縁ｂと摺動受枠ｈの傾斜受縁ｇ間に生じる作動空隙ｊの上方を遮蔽するように構成されている。
【０００４】
そして、地震時において、建造物Ａと、隣接する建造物Ｂとが近接する方向に比較的小さく相対変位した場合には、カバー体Ｃの自由端が摺動受枠ｈの水平受縁ｅ上を作動空隙ｊの範囲内で水平に摺動してその相対変位に追従し、さらに大きく相対変位すると、図１１（Ｂ）に示すように、カバー体Ｃは、一端の連結手段ａを支点として、自由端に形成された傾斜端縁ｂが摺動受枠ｈの傾斜受縁ｇに沿ってずれ上がることにより、その相対変位から逃げることができるようになっている。
【特許文献１】特開平１０−３１７５１６号公報
【発明の開示】
【発明が解決しようとする課題】
【０００５】
ところで、従来の床用目地カバー装置のカバー体Ｃは、複数の金属板を矩形状に組み付けた周枠の内部を仕切り板によって上下に区画して、その上部を舗装材充填用の凹部とする一方、下部には複数のメインバーとクロスバーとを格子状に組み付けた金属製の剛性基枠部を配設して構成したり、或いは該剛性基枠部の上部に矩形状の金属製カバー板を配設して構成されている。ここで、剛性基枠部は、グレーチングとして一般に用いられるものと同一の構造であり、この剛性基枠部によって、カバー体Ｃ上にかかる車両等の荷重に耐え得る高い強度を得るようにしている。
【０００６】
而して、従来構成のカバー体Ｃにあっては、所定形状に事前加工した複数の金属板や金属杆を溶接によって組み付けて製作しているため、部品点数や溶接箇所が極めて多く、生産性が悪いという問題点があった。そこで、このような構成部品の事前加工や溶接作業をなくすために、カバー体を鋳造によって一体形成することが試みられたのであるが、鋳造によって一体形成されたカバー体にあっては、冷却時の反りや縮みに起因する寸法誤差が生じ易く、底面の水平度が出し難いため、これを平滑面上に載置すると僅かなガタ付きが発生するという問題点があった。
【０００７】
本発明は、かかる問題点を解消し得るカバー体を備えた床用目地カバー装置を提供することを目的とするものである。
【課題を解決するための手段】
【０００８】
本発明は、隣接する建造物の床相互間の目地に差し渡されて該目地を覆うカバー体の一端が、一方の床の側縁に連結手段を介して揺動可能に連結されるとともに、該カバー体の他端を自由端とし、該自由端が他方の床の側縁に摺動可能に乗載されてなる床用目地カバー装置において、前記カバー体が、目地を覆う矩形状の主板部と、該主板部の下面に配設された複数の突条からなる補強リブ部とを備え、かつ該主板部と補強リブ部とが鋳造により一体形成されてなり、主板部の前端縁の下面と、前記補強リブ部を構成する所定の突条の下端に、高さ調整用削り代部が連成されていることを特徴とする床用目地カバー装置である。
【０００９】
ここで、高さ調整用削り代部は、カバー体の鋳造時に一体形成されるものであり、主板部の前端縁の下面と、突条の下端とを下方に所定長さ延出させることにより、狭幅の帯状に形成される。
【００１０】
この床用目地カバー装置にあって、前記高さ調整用削り代部が連成された主板部の前端縁及び突条が、建造物の床の側縁に当接する位置で、目地に沿う方向に延在させて配設されるとともに、該主板部の前端縁及び突条の下部に複数の切り欠き溝が、該主板部の前端縁及び突条の長手方向に沿って形成されている構成が提案される。
【発明の効果】
【００１１】
本発明は、上述したように、カバー体が、目地を覆う矩形状の主板部と、該主板部の下面に配設された複数の突条からなる補強リブ部とを備え、かつ該主板部と補強リブ部とが鋳造により一体形成されてなり、主板部の前端縁の下面と、前記補強リブ部を構成する所定の突条の下端に、高さ調整用削り代部が連成されていることにより、鋳造したカバー体にガタ付きが生じている場合には、主板部の前端縁の下面と、突条の下端とに連成されている高さ調整用削り代部を部分的に必要な量だけ削り取って高さ調整することによって、そのガタ付きを消失させることができる。ここで、高さ調整用削り代部は狭幅の帯状で連成され得るので、平板状に形成したカバー体の底面を広範囲に亘って削り取る場合に比して、その削り取り作業を容易かつ迅速に行うことができる。
【００１２】
また、前記高さ調整用削り代部が連成された主板部の前端縁及び突条が、建造物の床の側縁に当接する位置で、目地に沿う方向に延在させて配設されるとともに、該主板部の前端縁及び突条の下部に複数の切り欠き溝が、該主板部の前端縁及び突条の長手方向に沿って形成されている構成にあっては、ガタ付き発生時の高さ調整に際して、切り欠き溝が形成されている部分は削り取る必要がなく、切り欠き溝以外の部分の高さ調整用削り代部を所要量削り取ればよいため、全体としての削り取り量を減らすことができて、その作業能率が向上する。さらに、該切り欠き溝によって、目地幅方向に沿う雨水の流通を許容する通水作用を得ることができ、これによって、床面上から目地へ流れ込む雨水の流れを阻害することがない。
【発明を実施するための最良の形態】
【００１３】
本発明にかかる床用目地カバー装置の第一実施例を、図１〜図９に基づいて説明する。
図１において、Ａは緩衝機能を備えた免震装置（図示省略）によって下部が支持された免震構造の建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１４】
前記建造物Ｂの床ｆ2 の側縁には、図１に示すように、後述するカバー体Ｃの厚みに相当する深さで窪ませた支持段縁１が、目地ｓの幅方向（図１において左右方向）に所定幅で形成されており、該支持段縁１の前端稜部には水平受縁２ａを備えた前部摺動受枠２が配設されている。また、該支持段縁１の後端側には、第一水平受縁３ａの後端に傾斜受縁３ｂを介して第二水平受縁３ｃが連成され、さらに該第二水平受縁３ｃの後端に床ｆ2 の上面に向けて上方傾斜する傾斜受縁３ｄが連成された後部摺動受枠３が配設されている。ここで、前記第二水平受縁３ｃの深さは、カバー体Ｃを構成する主板部５の前端部分の厚みに相当する深さに設定されている。この前部摺動受枠２と後部摺動受枠３は、目地ｓに沿う方向（図１において前後方向）に延在するように配設されており、その長さは、図９に示すように、複数個のカバー体Ｃを配置した状態において、その両端に位置するカバー体Ｃ，Ｃの側方に、該カバー体Ｃ，Ｃが目地ｓに沿う方向に摺動し得る作動空隙４，４が夫々生じる長さに設定されている。尚、前記前部摺動受枠２と後部摺動受枠３は、図示したように分割形成することなく、一体に形成することも可能である。
【００１５】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって（図９参照）、各カバー体Ｃは、図１に示すように、その一端が建造物Ａの床ｆ1 の側縁に、後述する連結手段１２を介して揺動可能に連結されている。各カバー体Ｃは、他端を自由端としており、該自由端が前記支持段縁１上に摺動可能に乗載されている。
【００１６】
各カバー体Ｃは、図２，図３に示すように、目地を覆う矩形状の主板部５と、該主板部５の下面に格子状に配設された複数の突条７からなる補強リブ部６とを備えており、該主板部５と補強リブ部６とが鋳造により一体形成されている。また、補強リブ部６を構成する複数の突条７の内、主板部５の後端部と前端近傍部及びその中間位置で、目地ｓに沿う方向に延在させて配設された突条７ａ，７ｂ，７ｃの下端と、主板部５の前端縁の下面とに高さ調整用削り代部８（図４参照）が夫々連成されており、該突条７ａ，７ｂ，７ｃが他の突条７よりも下方に突出する状態となっている。また、主板部５の前端近傍部に配設された突条７ｂの前部には、目地ｓの幅方向に沿って配設されている複数の突条７に連続するようにして、突条７ｂの下端から主板部５の下面前方に向けて上方傾斜する複数の傾斜端縁９が設けられている。
【００１７】
また、主板部５の前端縁及び突条７ａの下部には、図３，図５に示すように、複数の切り欠き溝１０が、該主板部５の前端縁及び突条７ａの長手方向に沿って形成されている。尚、この複数の切り欠き溝１０は、主板部５の前端縁及び突条７ａだけでなく突条７ｂ，７ｃの下部にも形成することが可能である。
【００１８】
ここで、前端近傍部の突条７ｂは、図１に示すように、前記傾斜端縁９と上述した後部摺動受枠３の傾斜受縁３ｂとの間に適宜幅の空隙が生じるようにして後部摺動受枠３の第一水平受縁３ａ上に乗載されており、この空隙を作動空隙１１としている。また、突条７ｂから前方に突出する主板部５の前端は、後部摺動受枠３の第二水平受縁３ｃ上に乗載されており、この主板部５の前端によって前記作動空隙１１の上方が遮蔽されている。また、主板部５の中間位置に配設された突条７ｃは、上述した前部摺動受枠２の水平受縁２ａ上に乗載されている。
【００１９】
前記連結手段１２を図６に基づいて説明する。
建造物Ａの床ｆ1 の側縁上には、目地ｓに沿う方向に延在するようにして保持受枠体１３が配設されている。該保持受枠体１３は、水平受縁１３ａと垂直縁１３ｂとを備えた断面Ｌ形に形成されている。水平受縁１３ａの上面には、上述した主板部５の後端部に配設された突条７ａの下端が乗載されており、該下端によってカバー体Ｃの一端が揺動可能に支持されている。また、水平受縁１３ａには、その下面側から挿通して該水平受縁１３ａに固着したボルトからなる複数の連結杆１４が所定間隔で立設されている。一方、各カバー体Ｃの後端部には、前記各連結杆１４に対応する複数位置に取付け凹部１５が一体形成されており、各取付け凹部１５の底壁には上下方向の挿通孔１６が設けられている。そして、水平受縁１３ａに乗載された突条７ａの下端でカバー体Ｃの一端を支持した状態において、前記各連結杆１４が、取付け凹部１５の挿通孔１６に下方から遊嵌され、その上端にはナットからなるばね受部材１７が螺着されている。また、各連結杆１４には、前記ばね受部材１７と取付け凹部１５の底壁との間に介装するようにしてコイルばね１８が圧縮状態で外嵌されており、該コイルばね１８の弾発力によってカバー体Ｃを常時下方に付勢するようにしている。尚、このカバー体Ｃの下方付勢手段としては、コイルばね１８に代えてゴムリング（図示省略）を用いることも可能である。これにより、建造物Ａの床ｆ1 の側縁に、カバー体Ｃの一端を揺動可能に連結する連結手段１２が構成されている。また、この連結状態において、主板部５の上面が建造物Ａの床ｆ1 の上面と同一高さとなるようにしている。さらに、前記各取付け凹部１５の上部開口には、遮蔽キャップ１９が着脱可能に嵌着されている。
【００２０】
尚、上述したように鋳造により一体形成されるカバー体Ｃは、所定の厚みを備えた主板部５の下面に対応する高さ位置が、上下に分割形成された鋳型（図示省略）の合わせ位置となっており、該鋳型に設けられた抜き勾配によって、主板部５の外周面が上部内方に向けて傾斜する傾斜面２０となっている。このため、複数個のカバー体Ｃを目地ｓに沿う方向に並べて配設すると、図７に示すように、隣接するカバー体Ｃ，Ｃの主板部５，５間に相互の傾斜面２０，２０によって逆ハ字形に拡開する隙間２１が形成されることとなる。これによって、隣接するカバー体Ｃ，Ｃ間にレベル差が生じていても、該レベル差が目立たず、施工後の収まりを綺麗に見せることができる。
【００２１】
また、主板部５の上面には、所定形状の無数の滑り止め突部２２（図３参照）が鋳造により一体形成されており、さらに凹溝２３内に横棒２４を横架してなる複数の把手部２５が設けられている。
【００２２】
次に、かかる構成からなる床用目地カバー装置の作動態様について説明する。
カバー体Ｃは、主板部５の上面が、建造物Ａの床ｆ1 の上面及び建造物Ｂの床ｆ2 の上面と略面一になるように配設されていることにより、常時は、図１に示すように、該カバー体Ｃと、建造物Ａの床ｆ1 又は建造物Ｂの床ｆ2 との間に段差が生じることがない。また、地震時において、建造物Ａと、隣接する建造物Ｂとが近接する方向に比較的小さく相対変位すると、カバー体Ｃの自由端が作動空隙１１の範囲内で水平に摺動してその相対変位に追従し、さらに大きく相対変位すると、カバー体Ｃは、自由端に形成された傾斜端縁９が、傾斜受縁３ｂに当接してずれ上がり、図８に示すように、連結手段１２により連結された一端を支点として傾動することにより、その相対変位から逃げることができる。
【００２３】
また、建造物Ａと、隣接する建造物Ｂとが離れる方向に相対変位すると、カバー体Ｃは、その自由端が支持段縁１上を、傾斜受縁３ｂと逆方向に向けて水平に摺動してその相対変位に追従する。
【００２４】
そして、地震が終って建造物Ａと建造物Ｂとが定常位置に戻ると、これに伴なってカバー体Ｃの自由端も、図１に示した定常位置に戻り、カバー体Ｃが定常状態に復帰する。
【００２５】
また、建造物Ａと、隣接する建造物Ｂとが前後方向（目地ｓに沿う方向）に相対変位すると、カバー体Ｃの自由端は、支持段縁１上を前後方向に摺動してその相対変位に追従する。この場合、突条７ｃの下端部が支持段縁１に配設された前部摺動受枠２の水平受縁２ａ上を前後方向に摺動し、また、突条７ｂの下端部が支持段縁１に配設された後部摺動受枠３の第一水平受縁３ａ上を前後方向に摺動することとなる。ここで、図９に示すように、目地ｓに沿って連続状に配置された複数個のカバー体Ｃの、その両端に位置するカバー体Ｃ，Ｃの側方に位置させて、前部摺動受枠２と後部摺動受枠３の側端部に作動空隙４，４が設けられていることにより、該作動空隙４，４によって各カバー体Ｃの自由端の前後方向の摺動が可能となっている。
【００２６】
さらに、建造物Ａと、隣接する建造物Ｂとが上下方向に相対変位すると、カバー体Ｃは、連結手段１２により建造物Ａの床ｆ1 の側縁に連結された一端を支点として、建造物Ａもしくは隣接する建造物Ｂの上下動に伴なって傾動して、その相対変位に追従する。
【００２７】
かかる構成にあって、上述したように、カバー体Ｃが、目地ｓを覆う矩形状の主板部５と、該主板部５の下面に配設された複数の突条７からなる補強リブ部６とを備え、かつ該主板部５と補強リブ部６とが鋳造により一体形成されてなり、前記補強リブ部６を構成する所定の突条７ａ，７ｂ，７ｃの下端と、主板部５の前端縁の下面とに、高さ調整用削り代部８が連成されていることにより、鋳造したカバー体Ｃにガタ付きが生じている場合には、突条７ａ，７ｂ，７ｃの下端及び主板部５の前端縁の下面に夫々連成されている高さ調整用削り代部８を部分的に必要な量だけ削り取って高さ調整することによって、そのガタ付きを消失させることができる。ここで、高さ調整用削り代部８は突条７ａ，７ｂ，７ｃの下端及び主板部５の前端縁の下面に狭幅の帯状で連成されていることにより、平板状に形成したカバー体Ｃの底面を広範囲に亘って削り取る場合に比して、その削り取り作業を容易かつ迅速に行うことができる。
【００２８】
また、前記高さ調整用削り代部８が連成された主板部５の前端縁及び突条７ａが、建造物Ａ，Ｂの床ｆ1 ，ｆ2 の側縁に夫々当接する位置で、目地ｓに沿う方向に延在させて配設されるとともに、該主板部５の前端縁及び突条７ａの下部に複数の切り欠き溝１０が、該主板部５の前端縁及び突条７ａの長手方向に沿って形成されていることにより、ガタ付き発生時の高さ調整に際して、切り欠き溝１０が形成されている部分は削り取る必要がなく、切り欠き溝１０以外の部分の高さ調整用削り代部８を所要量削り取ればよいため、全体としての削り取り量を減らすことができ、その作業能率を向上させることができる。尚、突条７ｂ，７ｃの下部に切り欠き溝１０を形成した場合にあっても、同様の作用効果が得られる。さらに、該切り欠き溝１０によって、目地ｓの幅方向に沿う雨水の流通を許容する通水作用を得ることができ、これによって、床ｆ1 ，ｆ2 上から目地ｓへ流れ込む雨水の流れを阻害することがない。
【００２９】
図１０は、第二実施例を示し、この第二実施例は、建造物Ａに目地ｓを介して隣接する建造物Ｂの床ｆ2 が、建造物Ａの床ｆ1 の高さに比して、カバー体Ｃの厚み分だけ低く設定されており、該床ｆ2 の側縁に水平受縁２ａを備えた前部摺動受枠２と比較的長い水平受縁２６ａを備えた後部摺動受枠２６が配設されている。尚、該後部摺動受枠２６は前後に分割して形成することも可能である。また、建造物Ａの床ｆ1 と建造物Ｂの床ｆ2 間の目地ｓに差し渡されて該目地ｓを覆う各カバー体Ｃは、その一端が建造物Ａの床ｆ1 の側縁に、上述した連結手段１２を介して揺動可能に連結され、他端の自由端が建造物Ｂの床ｆ2 の側縁上に摺動可能に乗載されている。
【００３０】
各カバー体Ｃは、第一実施例と同様に、目地を覆う矩形状の主板部５と、該主板部５の下面に格子状に配設された複数の突条７からなる補強リブ部６とを備えており、該主板部５と補強リブ部６とが鋳造により一体形成されている。また、補強リブ部６を構成する複数の突条７の内、主板部５の後端部と前端近傍部及びその中間位置で、目地ｓに沿う方向に延在させて配設された突条７ａ，７ｂ，７ｃには、その下端に高さ調整用削り代部８が夫々連成されており、該突条７ａ，７ｂ，７ｃが他の突条７よりも下方に突出する状態となっている。また、主板部５は、その前端に下方傾斜するスロープ部２７を備えており、該スロープ部２７の下端にも高さ調整用削り代部８が連成されている。そして、該スロープ部２７の下端と、主板部５の前端近傍部に配設された突条７ｂの下端とが後部摺動受枠２６の水平受縁２６ａ上に乗載されており、主板部５の中間位置に配設された突条７ｃは、上述した前部摺動受枠２の水平受縁２ａ上に乗載されている。
【００３１】
また、スロープ部２７の先端下部及び突条７ａの下部には、複数の切り欠き溝１０（図５参照）が、スロープ部２７及び突条７ａの長手方向に沿って形成されている。尚、この複数の切り欠き溝１０は、スロープ部２７及び突条７ａだけでなく突条７ｂ，７ｃの下部にも形成することが可能である。
【００３２】
その他、第一実施例と共通する構成部分については第一実施例と同一の符号を付して重複説明を省略する。
【００３３】
かかる構成からなる床用目地カバー装置は、カバー体Ｃが、常時は図１０に示す定常位置で目地ｓを覆っている。そして、地震時において、建造物Ａと、隣接する建造物Ｂとが離近する方向に相対変位すると、カバー体Ｃの自由端が建造物Ｂの床ｆ2 の側縁上を水平に摺動してその相対変位に追従する。
【００３４】
また、建造物Ａと、隣接する建造物Ｂとが前後方向（目地ｓに沿う方向）に相対変位すると、カバー体Ｃの自由端が、建造物Ｂの床ｆ2 の側縁上を前後方向に摺動してその相対変位に追従する。この場合、突条７ｃの下端部が床ｆ2 の側縁に配設された前部摺動受枠２の水平受縁２ａ上を前後方向に摺動し、また、突条７ｂの下端部とスロープ部２７の下端部が床ｆ2 の側縁に配設された後部摺動受枠２６の水平受縁２６ａ上を前後方向に摺動することとなる。
【００３５】
さらに、建造物Ａと、隣接する建造物Ｂとが上下方向に相対変位すると、カバー体Ｃは、連結手段１２により建造物Ａの床ｆ1 の側縁に連結された一端を支点として、建造物Ａもしくは隣接する建造物Ｂの上下動に伴なって傾動して、その相対変位に追従する。
【００３６】
そして、この第二実施例にあっても、カバー体Ｃを構成する主板部５と補強リブ部６とが鋳造により一体形成され、前記補強リブ部６を構成する所定の突条７ａ，７ｂ，７ｃの下端とスロープ部２７の下端に、高さ調整用削り代部８が連成されていることにより、鋳造したカバー体Ｃにガタ付きが生じている場合には、突条７ａ，７ｂ，７ｃの下端とスロープ部２７の下端に夫々連成されている高さ調整用削り代部８を部分的に必要な量だけ削り取って高さ調整することによって、そのガタ付きを消失させることができる。ここで、高さ調整用削り代部８は狭幅の帯状で連成されていることにより、平板状に形成したカバー体Ｃの底面を広範囲に亘って削り取る場合に比して、その削り取り作業を容易かつ迅速に行うことができる。
【００３７】
また、前記高さ調整用削り代部８が連成された主板部５のスロープ部２７及び突条７ａが、建造物Ａ，Ｂの床ｆ1 ，ｆ2 の側縁に夫々当接する位置で、目地ｓに沿う方向に延在させて配設されるとともに、該主板部５のスロープ部２７及び突条７ａの下部に複数の切り欠き溝１０が、該主板部５のスロープ部２７及び突条７ａの長手方向に沿って形成されていることにより、ガタ付き発生時の高さ調整に際して、切り欠き溝１０が形成されている部分は削り取る必要がなく、切り欠き溝１０以外の部分の高さ調整用削り代部８を所要量削り取ればよいため、全体としての削り取り量を減らすことができ、その作業能率を向上させることができる。尚、突条７ｂ，７ｃの下部に切り欠き溝１０を形成した場合にあっても、同様の作用効果が得られる。さらに、該切り欠き溝１０によって、目地ｓの幅方向に沿う雨水の流通を許容する通水作用を得ることができ、これによって、床ｆ1 ，ｆ2 上から目地ｓへ流れ込む雨水の流れを阻害することがない。
【００３８】
尚、上記各実施例において、建造物Ａを免震構造の建造物、建造物Ｂを人工地盤からなる建造物としたが、これに代えて、建造物Ａを人工地盤からなる建造物、建造物Ｂを免震構造の建造物としてもよい。また、本発明にかかる床用目地カバー装置は、免震装置によって下部が支持された免震構造の建造物以外の一般的な建造物にも適用することが可能である。
【図面の簡単な説明】
【００３９】
【図１】第一実施例にかかる床用目地カバー装置の施工状態を示す縦断正面図である。
【図２】同上の床用目地カバー装置を構成するカバー体Ｃの縦断正面図である。
【図３】上半部を平面図、下半部を底面図とした同上のカバー体Ｃの説明図である。
【図４】要部の拡大断面図である。
【図５】同上のカバー体Ｃの側面図である。
【図６】連結手段１２部分の拡大図である。
【図７】隣接するカバー体Ｃ，Ｃ間に形成される隙間の形状を示す説明図である。
【図８】カバー体Ｃの作用説明図である。
【図９】複数個のカバー体Ｃを目地ｓに沿う方向に連続状に配設した状態を示す平面図である。
【図１０】第二実施例にかかる床用目地カバー装置の施工状態を示す縦断正面図である。
【図１１】（Ａ）は従来構成の床用目地カバー装置の概略縦断正面図、（Ｂ）はその作用説明図である。
【符号の説明】
【００４０】
Ａ  建造物
Ｂ  建造物
Ｃ  カバー体
ｆ1  床
ｆ2  床
ｓ  目地
５  主板部
６  補強リブ部
７，７ａ，７ｂ，７ｃ  突条
８  高さ調整用削り代部
１０  切り欠き溝
１２  連結手段
【図１】
0005166918.tif 000002
【図２】
0005166918.tif 000003
【図３】
0005166918.tif 000004
【図４】
0005166918.tif 000005
【図５】
0005166918.tif 000006
【図６】
0005166918.tif 000007
【図７】
0005166918.tif 000008
【図８】
0005166918.tif 000009
【図９】
0005166918.tif 000010
【図１０】
0005166918.tif 000011
【図１１】
0005166918.tif 000012